(57)【要約】【課題】雨天時に雨水が手摺よりも内側に吹込むのを防止することによって、雨水の吹込みに起因する転倒等の危険性を低減するとともに、乾燥後の汚れの発生を未然に防止すること。【解決手段】本発明では、手摺（４）の上端部に装着する手摺用笠木（１）において、前記手摺（４）の内壁側から外壁側へ向けて下方に傾斜して雨水の吹込みを防止する吹込防止体（６）を設けることにした。また、本発明では、前記手摺用笠木（１）において、前記吹込防止体（６）は、外壁側下端部を前記手摺（４）の外壁側端部よりも外側に張り出すことにした。さらに、本発明では、前記手摺用笠木（１）において、前記吹込防止体（６）は、前記手摺（４）の上端部との間に間隙（１３）を形成することにした。【選択図】図１
2013100643.tif 000002
【特許請求の範囲】
【請求項１】
手摺の上端部に装着する手摺用笠木において、
前記手摺の内壁側から外壁側へ向けて下方に傾斜して雨水の吹込みを防止する吹込防止体を設けたことを特徴とする手摺用笠木。
【請求項２】
前記吹込防止体は、外壁側下端部を前記手摺の外壁側端部よりも外側に張り出したことを特徴とする請求項１に記載の手摺用笠木。
【請求項３】
前記吹込防止体は、前記手摺の上端部との間に間隙を形成したことを特徴とする請求項１又は請求項２に記載の手摺用笠木。
【発明の詳細な説明】
【技術分野】
【０００１】
本発明は、手摺の上端部に装着する手摺用笠木に関するものである。
【背景技術】
【０００２】
家屋やビルなどの建造物は、通路やベランダや屋上などの外壁側端部に手摺を形成している。手摺の上端部は、水平な平坦面となっており、安全性や清掃性を向上させる目的等のために手摺用笠木が装着されることもある。
【０００３】
手摺用笠木は、建造物の住人や訪問者などから見て見栄えが良くなるように、内壁側端部を外壁側から内壁側へ向けて下方に傾斜させている（たとえば、特許文献１参照。）。
【先行技術文献】
【特許文献】
【０００４】
【特許文献１】特開２００８−２３１６６８号公報
【発明の概要】
【発明が解決しようとする課題】
【０００５】
ところが、上記従来のように、手摺の上端部が水平な平坦面となっていたり、外壁側から内壁側へ向けて下方に傾斜する手摺用笠木が装着されていると、図１（ａ）に示すように、雨天時に雨水が建造物101の手摺102の内壁側の通路103等に吹込み、手摺102の内壁面や通路103の表面などに浸水してしまい、転倒等の危険性が増大したり、乾燥後の汚れが増大するおそれがあった。
【課題を解決するための手段】
【０００６】
そこで、本発明では、手摺の上端部に装着する手摺用笠木において、前記手摺の内壁側から外壁側へ向けて下方に傾斜して雨水の吹込みを防止する吹込防止体を設けることにした。
【０００７】
また、前記吹込防止体は、外壁側下端部を前記手摺の外壁側端部よりも外側に張り出すことにした。
【０００８】
また、前記吹込防止体は、前記手摺の上端部との間に間隙を形成することにした。
【発明の効果】
【０００９】
そして、本発明では、以下に記載する効果を奏する。
【００１０】
すなわち、本発明では、手摺の上端部に装着する手摺用笠木において、手摺の内壁側から外壁側へ向けて下方に傾斜して雨水の吹込みを防止する吹込防止体を設けているために、雨天時の雨水の吹込みを防止することができ、転倒等の危険性を低減することができるとともに、手摺の内壁面や通路の表面などの乾燥後の汚れの発生を未然に防止することができる。
【００１１】
特に、吹込防止体の外壁側下端部を手摺の外壁側端部よりも外側に張り出した場合には、吹込防止体の外壁側先端部から落下する雨水を手摺の外壁に付着させることなく地面へ落下させることができ、手摺の外壁に汚れが発生するのを防止することができる。
【００１２】
また、吹込防止体と手摺の上端部との間に間隙を形成した場合には、通気性や視認性を良好に確保することができる。
【図面の簡単な説明】
【００１３】
【図１】本発明に係る手摺用笠木の機能を説明する説明図。
【図２】手摺用笠木の側面断面図（ａ）、背面図（ｂ）。
【発明を実施するための形態】
【００１４】
以下に、本発明に係る手摺用笠木の具体的な構成について図面を参照しながら説明する。
【００１５】
図１（ｂ）に示すように、手摺用笠木１は、建造物２の通路３の外壁側端部に形成された手摺４の上端部に装着される。
【００１６】
手摺用笠木１は、図２に示すように、手摺４の上端部に間隔をあけて取付けた支持体５と、支持体５の上部に取付けた手摺４の内壁側から外壁側へ向けて下方に傾斜する吹込防止体６とで構成している。
【００１７】
支持体５は、手摺４の上端部の内壁側端部から外壁側端部に跨設した下向き略コ字状のベース７と、ベース７の上面に上下に伸延させた角柱状の支柱８とで構成している。この支持体５は、手摺４の上端部に左右に間隔をあけて複数個取付けられている。なお、支持体５は、手摺４の上端部に吹込防止体６を装着できればよく、形状等は限定されない。
【００１８】
吹込防止体６は、支持体５の支柱８の上端部に手摺４の内壁側端部から外壁側端部へ向けて下方に傾斜する横長矩形板状の傾斜板９を取付け、傾斜板９の内壁側上端部に垂直状に上下に伸延する横長矩形板状の内壁側縁板10を形成するとともに、傾斜板９の外壁側下端部に傾斜板９よりもさらに下方に傾斜する外壁側縁板11を形成している。なお、吹込防止体６は、手摺４の内壁側端部から外壁側端部に向けて傾斜する傾斜面12が形成されていればよく、板状の傾斜板９に限定されるものでなく、また、内外壁側縁板10,11がないものでもよく、さらには、傾斜板９から折曲状に内外壁側縁板10,11を形成した場合に限られず、傾斜板９から曲線状に内外壁側縁板10,11を形成してもよい。
【００１９】
この吹込防止体６は、内壁側上端部（内壁側縁板10の内壁側端部）を手摺４の内壁側端部よりも内側に張り出しており、外壁側下端部（外壁側縁板11の外壁側下端部）を手摺４の外壁側端部及び建造物２の外壁側端部よりも外側に張り出している。なお、内壁側上端部や外壁側下端部は、歩行者の安全等を考慮して手摺４の端部から張り出させずに手摺４の幅内に収まる形状としてもよい。
【００２０】
また、吹込防止体６は、手摺４の上端部との間に間隙13を形成している。なお、吹込防止体６は、外壁側下端部（外壁側縁板11の外壁側下端部）を手摺４の外壁側上端部よりも下方に位置させているが、これに限られず、外壁側下端部を手摺４の外壁側上端部よりも上方に位置させてもよい。
【００２１】
手摺用笠木１は、以上に説明したように、手摺４の内壁側から外壁側へ向けて下方に傾斜する吹込防止体６を設けた構成となっている。
【００２２】
そのため、上記構成の手摺用笠木１では、図１（ｂ）に示すように、吹込防止体６によって雨天時の雨水の吹込みを防止することができる。これにより、通路３への雨水の吹込みに起因する転倒等の危険性を低減することができるとともに、通路３の表面や手摺４の内壁面などに乾燥後の汚れが発生してしまうのを未然に防止することができる。特に、通路３や手摺４などが鉄筋コンクリートでできている場合には、鉄筋コンクリート内部への雨水の浸入に起因するコンクリートの剥離や鉄筋の腐食などの発生を防止することができ建造物２の耐久性を向上させることができる。
【００２３】
また、上記手摺用笠木１では、吹込防止体６の内壁側上端部を手摺４の内壁側端部よりも内側に張り出した構成としている。
【００２４】
そのため、上記構成の手摺用笠木１では、雨水の吹込みをより一層防止することができる。特に、吹込防止体６の内壁側上端部に傾斜面12よりも上方へ向けた内壁側縁板10を形成することによって、風等の影響で傾斜面12の内壁側上端部へ流動した雨水が手摺４の内側に落下するのを防止することができる。
【００２５】
また、上記手摺用笠木１では、吹込防止体６の外壁側下端部を手摺４の外壁側端部よりも外側に張り出した構成としている。
【００２６】
そのため、上記構成の手摺用笠木１では、吹込防止体６の外壁側先端部から落下する雨水を手摺４の外壁に付着させることなく地面へ落下させることができ、手摺４の外壁に汚れが発生するのを防止することができる。特に、吹込防止体６の外壁側下端部に傾斜面12よりも下方へ向けた外壁側縁板11を形成することによって、雨水を傾斜面12から地面へ円滑に落下させることができる。
【００２７】
さらに、上記手摺用笠木１では、吹込防止体６と手摺４の上端部との間に間隙13を形成した構成としている。
【００２８】
そのため、上記構成の手摺用笠木１では、通気性や視認性を良好に確保することができる。特に、吹込防止体６の外壁側下端部を手摺４の外壁側上端部よりも下方に位置させた場合には、強い横風やそれに伴う雨水が直接流れ込むのを防止することができる。
【００２９】
なお、以上の説明では、建造物２の通路３に形成された手摺４に手摺用笠木１を装着した場合について説明したが、これに限られず、ベランダや屋上などの建造物２の外壁側端部に形成された手摺に手摺用笠木１を装着することもできる。
【００３０】
また、手摺用笠木１は、手摺４の上端部に吹込防止体６が手摺４の内壁側端部から外壁側端部に向けて下方に傾斜状に装着されていればよく、その装着手段や装着方法は限定されるものではない。すなわち、手摺用笠木１は、手摺４の上端部に支持体５を固定的に取付けてもよく、手摺４の上端部に支持体５を着脱可能に取付けてもよく、或いは、支持体５を無くして手摺４の上端部に吹込防止体６を固定的又は着脱可能に取付けてもよい。また、手摺用笠木１は、手摺４の上端部に所定の傾斜角度で吹込防止体６を固定的に取付けてもよく、或いは、手摺４の上端部に吹込防止体６を傾斜角度を調整可能に可動的に取付けてもよい。
【符号の説明】
【００３１】
１  手摺用笠木                            2,101  建造物
3,103  通路                               4,102  手摺
５  支持体                                ６  吹込防止体
７  ベース                                ８  支柱
９  傾斜板                                10  内壁側縁板
11  外壁側縁板                            12  傾斜面
13  間隙
【図１】
2013100643.tif 000003
【図２】
2013100643.tif 000004